(57)【要約】【課題】  受光センサの受光量を増加させ、閃光放電管の発光量をより正確に把握することができるようにすると共に受光センサの感度ばらつき補正を簡単かつ正確に行う。【解決手段】  光学パネル４の端部から延出され、閃光放電管から発光される光のうち光学パネル４の内部で内面反射する光を受光センサ５の配置方向に切り替える光路切替部４ａとを備える。また光路切替部と受光センサー間に光量を任意に可変調節する光量調節手段を備える。【選択図】  図１
2005195772.tif 000002
【特許請求の範囲】
【請求項１】
閃光放電管と、前記閃光放電管を内挿する有底形状からなる反射傘と、前記反射傘の前方に配置される光学パネルと、前記光学パネルの前記閃光放電管の発光射出部に対向して配置される受光センサと、前記光学パネルの端部から延出され、前記閃光放電管から発光される光のうち、光学パネルの内部で内面反射する光を前記受光センサの配置方向に切り替える光路切替部とを備えることを特徴とするストロボ装置。
【請求項２】
前記光路切替部は、光を前記受光センサの方向に集光させるべく先細り形状に形成されていることを特徴とする請求項１に記載のストロボ装置。
【請求項３】
前記光路反射部と前記受光センサとの間に、光量を任意に可変調節する光量調節手段を備えることを特徴とする請求項１または２に記載のストロボ装置。
【請求項４】
閃光放電管と、前記閃光放電管を内挿する有底形状からなる反射傘と、前記反射傘の前方に配置される光学パネルと、前記光学パネルの前記閃光放電管の発光射出部に対向して配置される受光センサと、前記光学パネルと前記受光センサとの間に、光学パネルを介して受光センサへ入射される光の光量を任意に可変調節する光量調節手段を備えることを特徴とするストロボ装置。
【請求項５】
前記光量調節手段は操作部と前記操作部に伝えられた操作力を伝達する伝達軸と前記伝達軸により変形する弾性部材からなり、前記弾性部材には開口穴を有することを特徴とする請求項３または４記載のストロボ装置。
【発明の詳細な説明】
【技術分野】
【０００１】
本発明は、閃光放電管の発光量を間接的に計測する機能を備えたストロボ装置に関する。
【背景技術】
【０００２】
従来、図４に示すように、閃光放電管２を内挿する反射傘３の側方に受光センサ５を配置すると共に、閃光放電管２から発光される光の一部を受光センサ５で受光し、この受光量から閃光放電管２の発光量を推定するようにしたストロボ装置１が公知である（例えば、特許文献１参照）。具体的に説明すると、閃光放電管２から発光される光の一部は、光学パネル４の内部で内面反射しながら光学パネル４の長手方向に進み、光学パネル４の端部から射出される。この射出された光のうち、光学パネル４の裏面から射出された光は、光拡散板８により拡散され、次に、ソケット７の穴部を通過することで一定の割合に絞られて受光センサ５により受光される。そして、閃光放電管２の全発光量に占める受光センサ５の受光量の比率がおよそ既知であることから、受光センサ５の受光量に基づいて閃光放電管２の発光量が求められ、求められた発光量によって発光を制御して必要な発光量を得ている。
【特許文献１】特開２００３−１０７５６５号公報
【発明の開示】
【発明が解決しようとする課題】
【０００３】
しかしながら、本発明者らによる上記従来技術のストロボ装置１の試作検討結果によれば、近年求められているより精密な発光量の制御においては、上記従来技術には以下に示す（１）、（２）の２つの問題があることが分かった。
【０００４】
（１）上記従来技術によるストロボ装置１は、光学パネル４の裏面側、即ち、光の光路方向に対して直交する方向に受光センサ５が配置されている。そのため、特に発光量が小さい時にセンサ５の受光量が少なくなり、より精密な発光量の制御するための閃光放電管２の発光量が正確に求めることができない。
【０００５】
（２）受光センサ５は、製造誤差による個体差によって、受光センサ毎の受光感度にばらつきがあり、ストロボ装置毎に受光センサに入射される光量の調整をする必要がある。そのため、上記従来技術によるストロボ装置１では、穴部の開口率が異なるソケット７または光透過率の違うＮＤフィルター（図示せず）を複数種類用意して、その中から適宜のソケット７またはＮＤフィルターを選択するという調整作業を採っており、非常に煩雑であり、また正確な調整ができなかった。
【０００６】
本発明は、上記問題に鑑みて、受光センサの受光量を増加させて、閃光放電管の発光量をより正確に把握することができるようにすることを目的とする。また、本発明は、受光センサの受光感度のばらつきに対する煩雑な調整作業を無くすことができるようにすることを他の目的とする。
【課題を解決するための手段】
【０００７】
上記目的を達成するため、請求項１に記載の発明では、閃光放電管と、前記閃光放電管を内挿する有底形状からなる反射傘と、前記反射傘の前方に配置される光学パネルと、前記光学パネルの前記閃光放電管の発光射出部に対向して配置される受光センサと、光学パネルの端部から延出され、閃光放電管から発光される光のうち、光学パネルの内部で内面反射する光を受光センサの配置方向に切り替える光路切替部とを備えることを特徴とする。
【０００８】
これによると、閃光放電管が発光すると、反射傘により反射される光（反射光）および前方に向かう光（直接光）の一部は、光学パネルで内面反射しながら光学パネルを光路にして進むようになる。光学パネルを光路として進んできた光は、光路切替部により受光センサの配置方向に切り替わる。即ち、請求項１に記載の発明では、（光路切替部における）光の光路方向上に受光センサが配置されることにより、受光センサの受光量が従来よりも増加するようになっている。
【０００９】
請求項２に記載の発明のように、請求項１において、前記光路切替部が、光を前記受光センサの方向に集光させるべく先細り形状に形成されていれば、受光センサの受光量をさらに増加させることができるので、請求項１に記載の発明よりも受光センサが受光する受光量を増加させることができる。
【００１０】
請求項３に記載の発明のように、請求項１または２において、光路切替部と前記受光センサとの間に光量を任意に可変調節する光量調節手段を備えていれば、受光センサ毎の受光感度にばらつきがあっても穴部の開口率の異なるソケットまたは光透過率の異なるＮＤフィルターを交換しなくても良くなるので、煩雑な調整作業を無くすことができるとともに、より正確に調整できる。
【００１１】
請求項４に記載の発明のように、閃光放電管と、該閃光放電管を内挿する有底形状からなる反射傘と、該反射傘の前方に配置される光学パネルと、反射傘の側方に配置される受光センサとを備え、さらに、光学パネルと前記受光センサとの間に光の光量を任意に可変調節する光量調節手段を備えていれば、受光センサ毎に受光量のばらつきがあったとしても光量調節手段により光量を調節できる。
【発明の効果】
【００１２】
以上、説明したように本発明によるストロボ装置によれば、光学パネルで内面反射して進む光の方向を、光路切替部により受光センサの方向に切り替えることで、従来技術のストロボ装置よりも受光センサの受光量が増加するようになっているので、閃光放電管の発光量をより正確に把握することができる。また光学パネルと前記受光センサとの間に光の光量を任意に可変調節する光量調節手段を備えているので閃光放電管の発光量をさらに正確に把握することができる。
【発明を実施するための最良の形態】
【００１３】
以下、本発明の一実施形態に係るストロボ装置について図面を参照して詳細に説明する。図１、図２はストロボ装置１の概略全体構成を示している。なお、図１は一実施形態におけるストロボ装置１の前後方向（図において上下方向）の断面形状を概略図示しており、図２は一実施形態に係るストロボ装置の側面図である。
【００１４】
ストロボ装置１は、光源としての閃光放電管２と、閃光放電管２を内挿し、閃光放電管２からの光を前方に反射する有底形状からなる反射傘３とを備えている。
【００１５】
反射傘３の前方には光学パネル４が配置されており、閃光放電管２の発光による光の多くが光学パネル４の前方、即ち、矢印Ｘの方向に通過するとともに、光の一部が内部で内面反射されて光学パネル４の長手方向、即ち、矢印Ｙの方向に進むようになっている。光学パネル４は、図１に示すように略Ｌ字形状に成形されている。この略Ｌ字形状となる部位は、光路切替部４ａであって、矢印Ｙの方向を光路方向として進んでくる光を光学パネル４の後方（図１において上方）に切り替えるように構成されている。
【００１６】
因みに、この光路切替部４ａの基端部位には、切欠部４ｂが設けられている。この切欠部４ｂにより、光の内面反射が確実に行われ、その結果、光の光路方向を効率よく切り替えることができる。なお、光学パネル４と、光路切替部４ａとをそれぞれ別々に成形してから一体に形成しても良い。
【００１７】
光路切替部４ａは、図２に示すように２つの傾斜部４ｃを備えており、受光センサの配置方向に向けて先細りとなる形状（略三角形状）に形成されている。このような先細り形状に形成されているため、切欠部４ｂにより内面反射された光が、先細り形状の傾斜部４ｃを介して、集光されるようになっている。
【００１８】
一方、光学パネル４の光路切替部４ａの後方（図１において上方）には、光路切替部４ａから射出する光を受光する受光センサ５が設けられている。該受光センサ５と光学パネル４との間には、光量調節手段としてのシャッタ６ａ〜６ｄのいずれか１つが設けられている。なお、該シャッタ６ａ〜６ｄと受光センサ５とは、光路切替部４ａの先端部に取り付けられたソケット７に内挿されている。
【００１９】
光路切替部４ａから射出した光は、受光センサ５毎の受光感度のばらつきに対応する所定の受光量となるように、シャッタ６ａ〜６ｄのいずれか１つにより調整される。この調整された光が、受光センサ５に入射されるようになっている。
【００２０】
ここで、シャッタ６ａ〜６ｄについて図３（ａ）〜（ｄ）により詳述する。図３（ａ）のシャッタ６ａは、操作部６１ａと、該操作部６１ａに連動し弾性部材により付勢のかかる伝達部６２ａと、第１可動片６３ａ及び第２可動片６４ａとにより構成されている。
【００２１】
第１、第２可動片６３ａ、６４ａは、それぞれ支持部６５ａにて回転自在に支持されると共に、互いに重なって開口を形成する先端部６７ａを備えており、第１、第２可動片６３ａ、６４ａが相対変位することにより、開口形状の大きさが変化するようになっている。
【００２２】
そして、第１、第２可動片６３ａ、６４ａには、それぞれ長穴６６ａが形成され、該長穴６６ａが重なった状態で、前記伝達部６２ａに設けられた摺動ピン６８ａが嵌挿されている。
【００２３】
上記構成において、シャッタ６ａの作動を簡単に説明すると、操作部６１ａを回転させ図示しないネジ部により伝達部６２ａ方向に変位させる。これにより伝達部６２ａは操作部６１ａ又は弾性部材により同じ方向に変位し摺動ピン６８ａが変位する。当該摺動ピン６８ａの位置が変位すると、摺動ピン６８ａに支持されている長穴６６ａ、６６ａの位置も変位し、前記支持部６５ａを中心に第１、第２可動片６３ａ、６４ａが回転する。このように、第１、第２可動片６３ａ、６４ａが回転すると、該第１、第２可動片６３ａ、６４ａの先端部６７ａ、６７ａの開口形状の大きさが変化するので、受光センサ５に対する入射光の光量を変化させることができる。
【００２４】
続いて、図３（ｂ）のシャッタ６ｂについて説明する。シャッタ６ｂは、操作部６１ｂと、該操作部６１ｂに伝えられた操作力が伝達される伝達軸６２ｂと、該伝達軸６２ｂからの操作力を受けて可動する可動片６３ｂと、図示しない固定部に固定される固定片６４ｂとにより構成されている。
【００２５】
可動片６３ｂには第１開口穴６６ｂが設けられている。そして、この穴と同形状の第２開口穴６７ｂが固定片６４ｂに設けられている。この第１、第２開口穴６６ｂ、６７ｂの形状は例えば、略円形状に形成されている。
【００２６】
操作部６１ｂが操作され、可動片６３ｂが伝達軸６２ｂの軸方向に移動されると、固定片６４ｂが固定されているので、可動片６３ｂと固定片６４ｂとが相対変位し、これに伴って、第１、第２開口穴６６ｂ、６７ｂも相対変位する。このように、第１、第２開口穴６６ｂ、６７ｂが相対変位すると、該第１、第２開口穴６６ｂ、６７ｂで形成される開口形状の大きさが変化するので、入射光の光量を調節することができる。
【００２７】
次に、図３（ｃ）のシャッタ６ｃについて説明する。シャッタ６ｃは、操作部６１ｃと、該操作部６１ｃに伝えられた操作力が伝達される伝達軸６２ｃと、該伝達軸６２ｃからの操作力を受けて変形する弾性部材６３ｃとにより構成されている。
【００２８】
弾性部材６３ｃは、例えば、ゴムやシリコンゴム等の弾性のある部材により成形したもので構成されている。この弾性部材６３ｃは、開口穴６４ｃを有している。なお、図３（ｃ）に示すように開口穴６４ｃは、略矩形状に形成されているが、楕円形状や円形状であっても良い。
【００２９】
操作部６１ｃが操作されて、弾性部材６３ｃが伝達軸６２ｃの軸方向に移動すると、弾性部材６３ｃが弾性変形し、開口穴６４ｃの開口形状の大きさが変化する。
【００３０】
次に、図３（ｄ）のシャッタ６ｄについて説明する。シャッタ６ｄは、操作部６１ｄと、
該操作部６１ｄの軸方向の移動により開口量が変化する開口穴６４ｄが形成された固定片６８ｄとにより構成されている。
【００３１】
操作部６１ｄは外周にねじ溝が形成された例えばイモネジであり、回転させることで開口穴６４ｄの内壁面に形成されたねじ溝により軸方向に移動し、開口穴６４ｄの開口量が変化し入射光の光量を調節することができる。
【００３２】
このように、図３（ａ）〜（ｄ）のいずれのシャッタ６ａ〜６ｄをソケット７に配置しても、入射光の光量を調節することができる。因みに、シャッタ６ａ〜６ｄは受光センサ５の受光検出量のばらつきに対応させるために配置しているので、一度設定すればこの設定状態を維持できる構成になっている。
【００３３】
上述したシャッタ６ａ〜６ｄのうちいずれか１つをストロボ装置１に配置すれば、受光センサ５による受光量のばらつきに対応させるように、ソケット７の交換作業が発生するということもなくなる。そのため、上記ストロボ装置１の組み立て工程の増加を抑制することができる。
【産業上の利用可能性】
【００３４】
本発明は、従来技術のストロボ装置よりも閃光放電管からの光を多く受光できるようになっており、閃光放電管の発光量を間接的に計測する機能を備えたストロボ装置に有用である。
【図面の簡単な説明】
【００３５】
【図１】本発明の一実施形態に係るストロボ装置の前後方向における断面図
【図２】本発明の一実施形態に係るストロボの側面図
【図３】本発明の一実施形態に係るシャッタであって、（ａ）操作部の軸方向の操作力で2枚の可動片を動作させるシャッタの正面図（ｂ）操作部への軸方向の操作力に伴って光量調節するシャッタの正面図（ｃ）（ｂ）の他の例としてのシャッタの正面図（ｄ）操作部の回転に伴って光量調節するシャッタの正面図
【図４】従来技術に係るストロボ装置の断面図
【符号の説明】
【００３６】
１  ストロボ装置
２  閃光放電管
３  反射傘
４  光学パネル
４ａ 光路切替部
５  受光センサ
６ａ〜６ｄ  シャッタ
【図１】
2005195772.tif 000003
【図２】
2005195772.tif 000004
【図３】
2005195772.tif 000005
【図４】
2005195772.tif 000006